(57)【要約】【課題】低コストで電磁波の遮蔽及び入射光の遮光対策を施すことができ、メンテナンス性にも優れた露光処理装置を提供することを課題とする。【解決手段】感光材料Ｐを露光処理するための露光エンジンＥｎと、前記露光処理される感光材料Ｐを搬送するための感光材料搬送機構２０３とを筐体２内に備える露光処理装置Ｒにおいて、前記筐体２は、前記露光エンジンＥｎが内設されると共に外部に放射される電磁波を遮蔽することができる電磁波遮断区画５０１と、前記感光材料搬送機構が内設されると共に内部に入射してくる光を遮光することができる遮光区画５０２とを含む二以上の区画に分割され、且つ前記電磁波遮蔽区画５０１は、内設される前記露光エンジンＥｎからの照射光を感光材料Ｐが備えられる他区画へ照射可能とすることを特徴とする。【選択図】図３
2007156233.tif 000002
【特許請求の範囲】
【請求項１】
感光材料を露光処理するための露光エンジンと、前記露光処理される感光材料を搬送するための感光材料搬送機構とを筐体内に備える露光処理装置において、前記筐体は、前記露光エンジンが内設されると共に露光エンジンから電磁波が外部に放射されるのを遮蔽することができる電磁波遮断区画と、前記感光材料搬送機構が内設されると共に外部からの光を遮光することができる遮光区画とを含む二以上の区画に分割され、且つ前記電磁波遮蔽区画は、内設される前記露光エンジンからの露光光を感光材料が備えられる前記遮光区画へ照射可能とすることを特徴とする露光処理装置。
【請求項２】
前記電磁波遮蔽区画は、内部空間の全周囲が囲まれるように導電体が配設されることを特徴とする請求項１記載の露光処理装置。
【請求項３】
前記筐体は、前記電磁波遮蔽区画が開口を備え、該開口を塞ぐように蓋又は隣接する区画が前記電磁波遮蔽区画に可動支持され、前記蓋又は前記隣接する区画を動かすことで前記開口が開放されるように構成されることを特徴とする請求項１又は２記載の露光処理装置。
【請求項４】
前記隣接する区画は、汎用電子計算機が配設される区画であることを特徴とする請求項３記載の露光処理装置。
【請求項５】
前記筐体は、上下方向の区画に分割され、一の区画には前記汎用電子計算機が配設され、その下に隣接する区画には前記露光エンジンが配設され、さらにその下に隣接する区画には前記感光材料搬送機構が配設されることを特徴とする請求項４記載の露光処理装置。
【発明の詳細な説明】
【技術分野】
【０００１】
本発明は、各種メディアに記録された画像データに基づいて感光材料に対して露光処理を施すための露光処理装置に関する。
【背景技術】
【０００２】
従来から、写真フィルムに形成された駒画像や、デジタルカメラで撮影された画像等に基づいて写真プリント作成するため、感光材料に対して露光処理を施すための露光処理装置が知られている。かかる露光処理装置は、同一筐体内に感光材料を露光処理するための露光エンジンや前記露光処理される感光材料を搬送するための感光材料搬送機構、及び操作のための制御部等を全て一緒に内設するように構成されている。
【発明の開示】
【発明が解決しようとする課題】
【０００３】
ところで、露光処理装置で使用される露光エンジン等の電子部品からは、通常、作動時に電磁波が発生する（放射される）。近年、かかる電磁波は、人体に対して有害な影響を与える可能性が指摘されているため、一般に、前記露光エンジンを内部に備える露光処理装置には、電磁波を抑制するための対策を施す必要がある。また、前記露光処理装置は、露光処理される感光材料に光があたると感光してしまうため、前記感光材料が搬送される搬送機構（経路）に外部からの光があたらないように遮光対策を施す必要もある。
【０００４】
このような電磁波の遮蔽及び外部からの光の遮光対策を施す際には、前記筐体内に露光エンジンや搬送機構等が全て一緒に内設される従来の露光処理装置においては、前記筐体内の全体に渡って前記各対策（電磁波の遮光及び外部からの光の遮光対策）を施す必要がある。
【０００５】
従って、前記筐体内の広範囲に渡って前記各対策を施さなければならない。さらに、種々の機構が同一筐体内に一緒に設置されているため、内部が複雑な構成となることから、前記各対策も複雑な構成となってしまう。そのため、前記各対策を施すには非常にコストがかかるという問題が生じていた。
【０００６】
また、前記従来の露光処理装置は、その内部に配設される露光エンジン等のメンテナンスを行う際には前記筐体の扉又は蓋を開けて行う必要があるが、その際に内部に入射する光が感光材料搬送機構にあたり、該感光材料搬送機構内の感光材料が感光してしまう可能性があった。そのため、感光材料を感光材料搬送機構から抜き出した後に前記メンテナンス作業を行わなければならない等、多くの労力が必要となるという問題も生じていた。
【０００７】
そこで、本発明は、上記問題点に鑑み、低コストで電磁波の遮蔽及び外部からの光の遮光対策を施すことができ、メンテナンス性にも優れた露光処理装置を提供することを課題とする。
【課題を解決するための手段】
【０００８】
そこで、上記課題を解消すべく、本発明に係る露光処理装置は、感光材料を露光処理するための露光エンジンと、前記露光処理される感光材料を搬送するための感光材料搬送機構とを筐体内に備える露光処理装置において、前記筐体は、前記露光エンジンが内設されると共に露光エンジンから電磁波が外部に放射されるのを遮蔽することができる電磁波遮断区画と、前記感光材料搬送機構が内設されると共に外部からの光を遮光することができる遮光区画とを含む二以上の区画に分割され、且つ前記電磁波遮蔽区画は、内設される前記露光エンジンからの露光光を感光材料が備えられる前記遮光区画へ照射可能とすることを特徴とする。
【０００９】
上記構成の露光処理装置によれば、電磁波の遮蔽対策又は外部からの光の遮光対策は、それぞれ前記筐体を分割した区画毎に行うことができる。そのため、前記各対策を施す範囲は狭くなる。即ち、前記露光エンジンのように電磁波を発する構成を内設する区画には、その区画だけに電磁波の遮蔽対策を施せば良く、また、感光材料搬送機構を備える区画には、その区画だけに外部からの光の遮光対策を施せば良いことから、筐体全体に対して各対策を施す場合に比べ、前記各対策を施す範囲を狭くすることができる。
【００１０】
また、露光エンジンのメンテナンスの際には、該露光エンジンを内設する区画だけを開ければ良いため、前記感光材料搬送機構を内設すると共に外部からの光の遮光対策が施される区画を開ける必要がない。その結果、前記遮光対策が施される区画内は、遮光状態を保つことができる。
【００１１】
また、前記電磁波遮蔽区画は、内部空間の全周囲が囲まれるように導電体が配設される構成とすることが好ましい。
【００１２】
上記構成とすることで、導電体で囲まれた内部空間で発生した電磁波は、遮蔽されて前記電磁波遮蔽区画外へは放射されなくなる。即ち、前記筐体を小さく分割した複数の区画の一つである前記電磁波遮蔽区画の内面全体に導電体を配設するだけで電磁波が外部に放射されるのを遮蔽することができるようになる。その結果、電磁波の遮蔽対策を低コストで施すことができるようになる。
【００１３】
また、前記筐体は、前記電磁波遮蔽区画が開口を備え、該開口を塞ぐように蓋又は隣接する区画が前記電磁波遮蔽区画に可動支持され、前記蓋又は前記隣接する区画を動かすことで前記開口が開放されるような構成とすることが好ましい。
【００１４】
上記構成とすることで、蓋又は隣接する区画を動かすことによって前記電磁波遮蔽区画の開口を開放することができるようになるため、前記電磁波遮蔽区画内の前記露光エンジンのメンテナンスが行い易くなる。
【００１５】
また、前記隣接する区画は、汎用電子計算機が配設される区画であるような構成とすることが好ましい。
【００１６】
上記構成とすることで、制御機構として汎用電子計算機（汎用パソコン）を使用することができることから、前記露光処理装置の製作コストを低くすることができる。
【００１７】
また、前記筐体は、上下方向の区画に分割され、一の区画には前記汎用電子計算機が配設され、その下に隣接する区画には前記露光エンジンが配設され、さらにその下に隣接する区画には前記感光材料搬送機構が配設される構成とすることが好ましい。
【００１８】
上記構成とすることで、汎用電子計算機が配設される区画を動かすだけで露光エンジンが配設されている区画の開口が開放され、露光エンジンのメンテナンスが行い易くなる。
【発明の効果】
【００１９】
以上より、本発明に係る露光処理装置によれば、低コストで電磁波の遮蔽及び外部からの光の遮光対策を施すことができ、メンテナンス性にも優れた露光処理装置を提供することができるようになる。
【発明を実施するための最良の形態】
【００２０】
以下、本発明の一実施形態に係る露光処理装置について、添付図面を参照しつつ説明する。
【００２１】
本実施形態に係る露光処理装置は、図１及び図２に示すように、感光材料Ｐに対して露光処理を施し、露光処理された感光材料Ｐを現像、乾燥処理して最終的な製品として写真プリントにまで仕上げる写真処理装置１に組み込まれている。
【００２２】
かかる写真処理装置１について具体的に説明すると、写真処理装置１は、感光材料Ｐを露光処理するための露光処理装置Ｒと、露光処理装置Ｒから受け取った露光済みの感光材料Ｐを現像処理し、その後乾燥処理を行う現像処理装置Ｇとを備えている。
【００２３】
より詳細には、露光処理装置Ｒは、筐体２内に、該写真処理装置１の全体の制御を行う制御部１０の一部と、画像データを基に感光材料Ｐに露光処理を施す露光処理部２０とを備える。また、現像処理装置Ｇは、筐体３内に、露光処理装置Ｒから受け取った露光処理部２０で露光処理された感光材料Ｐに対して現像処理を施す現像処理部３０と、現像処理された感光材料Ｐを乾燥処理する乾燥処理部４０とを備えている。そして、これら筐体２及び３は、一体的に連結されている。
【００２４】
筐体２は、図３に示すように、内部空間が複数の区画に分割されている。本実施形態において前記内部空間は、縦方向に区切られている。即ち、縦方向に複数の層となるように分割されており、上から順に第一区画５００、第二区画５０１、第三区画５０２の三つの区画（層）に分割されている。
【００２５】
前記第一区画５００は、筐体２の前面側が開口するように形成されている。この第一区画５００には、後述する写真処理装置１の制御部１０（図２参照）の一部が内設される。本実施形態において、第一区画５００には、汎用電子計算機（汎用パソコン）の本体部を操作面が開口方向に向くように挿設される。その際、汎用パソコンは、その全体が第一区画５００の内部に完全に挿入されても良く、また、その一部が第一区画５００の前記開口から突出した状態であっても良い。また、第一区画５００に挿設された前記汎用パソコンは、写真処理装置１の搬送中やメンテナンス中等に抜け出さないよう、ネジやリベット等の固定手段によって前記第一区画５００内に固定される。
【００２６】
尚、本実施形態においては第一区画５００は、筐体２の前面側に開口を設けているが、これに限定される必要はなく他方側に開口を設けても良い。また、開口は、一つに限定される必要もなく複数設けても良い。例えば、前後の対向する側面にそれぞれ開口を設けても良い。このようにすることで、パソコン本体背面側に設けられた接続端子等と、露光処理装置Ｒとの接続や、取り外し作業等が行い易くなる。また、前記汎用パソコンを挿設する際に開口が設けられていれば良く、挿設後は、前記開口を蓋や扉等で塞いでも良い。その場合、開口等の全くない蓋等であっても良く、パソコンの操作等を行うため、ボタン等を操作するのに必要な部分だけ開口（穴）を設けた蓋等であっても良い。
【００２７】
前記第二区画５０１は、筐体２の上面側が開口するように形成されている。そして、底部内面には、第三区画５０２内まで貫通しているスリットＳＬが設けられている。より詳細には、スリットＳＬは、第二区画５０１に内設される後述の露光エンジンＥｎ（図２参照）からの露光光を第三区画５０２へ送るためのものである。そして、一本の直線状のスリット（細隙）として形成され、開口部は、感光材料Ｐを露光するための露光光が透過可能となるよう、透明な部材によって塞がれている。
【００２８】
この第二区画５０１は、スリットＳＬ以外の内面全体を覆うように導電体（例えば、鉄等の金属）が配設、又は前記内面全体が導電体で形成されている。該導電体は、筐体２の全体フレーム（図示せず）とアース線で接続されており、筐体２を外部にアースすることで第二区画５０１内面の導電体も外部にアースされる。
【００２９】
また、第二区画５０１は、その上方に隣接する前記第一区画５００を可動支持するように構成されている。より詳細には、第一区画５００の直線状に形成された後方側下辺と第二区画５０１の直線状に形成された後方側上辺とが回動可能（矢印α方向）に連結されている。かかる連結部は、回動可能に連結されていれば良く、本実施形態においては、二箇所をヒンジ（蝶番）５０３によって回動可能に連結されている。
【００３０】
第一区画５００と第二区画５０１とが上下に重なって一体となっている（閉じた）状態では、第二区画５０１の内部空間は、上部の開口が第一区画５００の底部で覆われるため、スリットＳＬを除いて閉じた空間となる。この時、前記第二区画５０１の開口を覆う前記第一区画５００の底部全体に導電体を配設、又は前記底部全体を導電体で形成することで、第一区画５００の底部の導電体と、第二区画５０１の内面全体の導電体とによって、前記第二区画５０１内の閉じた空間の全周囲は、導電体で覆われた状態となる。
【００３１】
そして、この第二区画５０１の内部空間を覆う前記導電体は、上述のように筐体２の全体フレームとアース線で接続されているため、筐体２を外部にアースすることで、前記第二区画５０１の内部空間で発生した電磁波が筐体２の外部へ放射されるのを防ぐことができるようになる。
【００３２】
また、第一区画５００と第二区画５０１とが上述のように回動可能に連結されることで、ヒンジ５０３の軸を中心にして第一区画５００の前面側を持ち上げることができるようになる。そして、第一区画５００の前面側を持ち上げた状態（開いた状態）とすることで、第二区画５０１の閉じた状態の内部空間は、上方が開放された状態になる。
【００３３】
この時、第二区画５０１の開口部に一端を回動可能（矢印β方向）に取り付けたられた棒状のストッパー５０４の他端を第一区画５００の底部に設けた係止部５０４に係止する。そうすることで、前記第一区画５００の前面が持ち上がった（開いた）状態を維持することができる。一方、係止部５０５に係止されているストッパー５０４の他端を外し、回動可能に取り付けたストッパー５０４の第二区画５０１側の一端を軸にして回転させることで、ストッパー５０４は、第二区画５０１内に収納される。その後、持ち上げていた第一区画５００の前面側を降ろすことで、第二区画５０１は、前記閉じた状態となる。
【００３４】
尚、ストッパーは、上述の構成に限定される必要はなく、前記連結部のヒンジ５０３にバネ等の弾性体を取り付け、その付勢力によって前記開いた状態を維持できるようにしても良く、また、油圧や空気圧を利用してシリンダからピストンを送出し、前記開いた状態を維持できるようにした構成であっても良い。
【００３５】
前記第三区画５０２は、筐体２の前面側が開口するように形成されている。この開口の側部には、一辺（本実施形態においては、正面視左側の側辺）を軸に回動することで前記開口を開閉できる扉５０６が取り付けられている。
【００３６】
この扉５０６を閉じた状態にすると、第三区画５０２の内部空間は、第二区画５０１の底部に設けられたスリットＳＬを除いて閉じた空間となる。この時、第三区画５０２の内面及び扉５０３の内側には、スリットＳＬ以外の外部からの光に対し遮光対策が施されている。従って、扉５０３を閉じた状態では、第三区画５０２の内部空間には、外部から光が入ってこない。この第三区画５０２には、後述する露光エンジンＥｎを除く露光処理部２０（図２参照）が内設される。
【００３７】
前記制御部１０は、各種処理状況や操作案内等を表示するモニター１００と、該モニター１００の表示に基づいて入力操作を行うための入力手段１０１と、露光処理部２０で感光材料Ｐに露光処理を行うための画像データを読み取る読み取り手段１０２と、露光処理を行うに際し、各処理や写真処理装置１の実質的な制御を行う演算処理装置１０３とを備えている。
【００３８】
前記モニター１００には、ブラウン管モニター或いは液晶モニターを採用することができ、本実施形態においてはブラウン管モニターが採用されている。前記入力手段１０１には、キーボード１０１ａとマウス１０１ｂとが採用されている。
【００３９】
本実施形態に係る読み取り手段１０２には、帯状のフィルムＦに形成された複数の駒画像を読み取るフィルムスキャナ１０２ａと、ＣＤ−Ｒ／ＲＷやメモリーカード等の各種メディアからデータ（例えば、画像データ）を読み込むメディアドライブ１０２ｂとが採用されている。前記フィルムスキャナ１０２ａは、フィルムＦを長手方向に搬送しつつ、フィルムＦから各駒画像を画像データとして順々に読み取るようになっており、読み取った各画像データを演算処理装置１０３に伝送するようになっている。演算処理装置１０３は、実質的な演算を行うＣＰＵ１０４、該ＣＰＵ１０４に演算を実行させるためのソフトウェア等が記憶されるＲＡＭ１０５やＲＯＭ１０６等から構成されており、Ｉ／Ｏインターフェース（図示せず）を介して前記モニター１００や読み取り手段１０２（１０２ａ，１０２ｂ）が電気的に接続されている。本実施形態において、演算処理装置１０３は、汎用パソコンが使用されている。
【００４０】
前記露光処理部２０は、ロール状にされた長尺な感光材料Ｐを収納するマガジン２００ａと、該マガジン２００ａから引き出された感光材料Ｐを所定の長さで切断する切断装置２０１と、該切断装置２０１により切断された感光材料Ｐを露光処理する露光部２０２と、該露光処理部２０内の各構成間で感光材料Ｐを搬送し、マガジン２００ａから引き出された感光材料Ｐを下流側（前記現像処理装置Ｇ）に搬送するための搬送系（感光材料搬送機構）２０３とを備えている。
【００４１】
前記マガジン２００ａは、ロール状にした感光材料Ｐを軸支可能に構成され、感光材料Ｐを長手方向に円滑に引き出せるようになっている。尚、本実施形態において、マガジン２００ａに収納される感光材料Ｐは、乳剤面を外側にして芯材に対してロール状に巻かれている。
【００４２】
本実施形態に係る写真処理装置１は、制御部１０及び露光処理部２０を備える前記筐体２に対し、オプション（追加）のマガジン２００ｂを収容するための補助筐体４を連結できるようになっている。そして、補助筐体４を筐体２に連結することで、筐体２内に収容したマガジン２００ａから引き出される感光材料Ｐの搬送経路に対し、オプションのマガジン２００ｂから引き出される感光材料Ｐの搬送経路が合流するようになっている。尚、図示しないが、上述の搬送経路の合流部分には、搬送経路を切り換えるための搬送経路切換機構が設けられており、マガジン２００ａ、２００ｂの何れか一方から引き出された感光材料Ｐを下流側に搬送できるようになっている。
【００４３】
前記切断装置２０１は、一対のカッター２０４ａ，２０４ｂを備えており、該一対のカッター２０４ａ，２０４ｂを接離させることで、マガジン２００ａ，２００ｂから引き出されて搬送経路Ｘ上で搬送される感光材料Ｐを所定サイズに切断するようになっている。
【００４４】
前記露光部２０２は、感光材料Ｐを搬送する露光部搬送系２０５と、露光部搬送系２０５で搬送される感光材料Ｐの乳剤面を露光するための光学系２０６とを備えている。この光学系２０６は、上述の筐体２における第二区画５０１（図３参照）の底部に設けられたスリットＳＬ（図３参照）を介して送られてくる、第二区画５０１内に配置されている露光エンジンＥｎから照射された光線を露光面に照射するためのものである。
【００４５】
本実施形態に係る露光エンジンＥｎは、レーザー光源（図示しない）や、該レーザー光源からのレーザー光を前記露光領域Ａにまで導く光学系（例えば、ポリゴンミラーやレンズ：図示しない）等を備えた、いわゆるレーザーエンジンが採用されている。尚、露光エンジンＥｎには、ハロゲンランプ等からなる光源と、該光源に光ファイバー束を介して接続された光シャッター（ＰＬＺＴ）とで構成されたものであっても良い。
【００４６】
この露光エンジンＥｎは、上述のように、多数の各種電子部品等によって構成されており、かかる電子部品等は、基板に固定されている。この基板は、筐体２の第二区画５０１（図３参照）に内設され、該第二区画５０１内面の導電体と前記基板とがアース線（図示せず）で連結されている。
【００４７】
前記露光部搬送系２０５は、感光材料Ｐに対する露光領域Ａを挟んで上流側及び下流側に配設された二組のローラ対２０７，２０８で構成されており、感光材料Ｐを横方向（略水平方向）に搬送するようになっている。
【００４８】
前記搬送系２０３は、マガジン２００ａから切断装置２０１まで感光材料Ｐを搬送する第一搬送系２１０と、切断装置２０１で切断された感光材料Ｐを露光ユニット２０２まで搬送する第二搬送系２２０と、露光部２０２で露光処理中の感光材料Ｐを受け取った後に、その感光材料Ｐを下流側の現像処理装置Ｇに搬送する第三搬送系２３０とで構成されている。
【００４９】
第一搬送系２１０は、複数のローラ対が感光材料Ｐの搬送経路Ｘに沿って配設されて構成され、各ローラ対の一方のローラ（例えば、下方側のローラ）を駆動することによって、感光材料Ｐを下流側（第二搬送系２２０）に向けて搬送するようになっている。
【００５０】
第二搬送系２２０は、第一搬送系２１０によって送られてくる感光材料Ｐの先端部を把持する第一把持機構２２１と、切断装置２０１の直下流側と露光部２０２の直上流側とに跨るように設けられ、第一把持機構２２１と切断装置２０１と露光部２０２との間で略直線状の軌道（略水平状の軌道）上で案内するガイドレール２２２と、第一把持機構２２１をガイドレール２２２に沿って往復移動させる駆動系（図示しない）とを備えている。かかる第二搬送系２２０は、第一搬送系２１０とは異なり、感光材料Ｐの先端部を第一把持機構２２１に把持させた状態で、該第一把持機構２２１を下流側に移動させることで、感光材料Ｐを搬送するようになっている。
【００５１】
前記第三搬送系２３０は、該露光処理部２０と下流側の現像処理部３０（現像処理装置Ｇ）との間で感光材料Ｐを受け渡す役目を担うもので、図４に示すように、上流側の露光領域Ａで露光処理中の感光材料Ｐを受け取り、該感光材料Ｐの搬送方向を変換して感光材料Ｐの表裏を反転させるリバース機構２４０と、該リバース機構２４０で表裏が反転された感光材料Ｐを受け取って下流側に搬送する搬送機構２５０と、該搬送機構２５０で搬送されてきた感光材料Ｐを受け取って下流側（現像処理装置Ｇ）に送り出すための受け取りユニット２６０とで構成されている。
【００５２】
前記リバース機構２４０は、上流側から搬送されてきた感光材料Ｐを受け取って下流側に搬送する圧着搬送ユニット２７０と、該圧着搬送ユニット２７０を作動させる駆動系（図示せず）とを備えている。
【００５３】
前記圧着搬送ユニット２７０は、上流側から搬送されてくる露光処理中の感光材料Ｐを案内する所定間隔を有して対向する一対のガイド面２７１と、前記一対のガイド面２７１に案内される感光材料Ｐを両面側から圧着して下流側に搬送する搬送ローラ対２７３と、これらを支持するためのフレーム２４１を備えている。
【００５４】
また、圧着搬送ユニット２７０は、前記フレーム２４１が感光材料Ｐの搬送方向と直交する方向に延びる軸Ｓ１回りに回転可能に設けられている。
【００５５】
前記リバース機構２４０は、圧着搬送ユニット２７０（フレーム２４１）を軸Ｓ１回りで回転させることで、上流側（露光部２０２の露光領域Ａ）から横方向（水平方向）に搬送されてくる感光材料Ｐを受け取る第一姿勢と、受け取った感光材料Ｐを横方向と略直交する縦方向（上方）に送り出す第二姿勢とに切り換わるようになっている。
【００５６】
本実施形態において、圧着ユニット２７０は、上述の第二姿勢になった状態で、搬送ローラ対２７２が逆転し、前記一対のガイド面２７１の一端側（搬送機構２５０の後述する第二把持機構２５１）に感光材料Ｐを送り出すようになっている。
【００５７】
前記搬送機構２５０は、第二姿勢になった圧着搬送ユニット２７０から送り出される感光材料Ｐを把持可能に構成されると共に、縦方向（垂直方向）及び横方向（水平方向）に移動可能に構成された第二把持機構２５１を備えている。
【００５８】
該搬送機構２５０は、第二把持機構２５１を縦方向に移動させ、把持した感光材料Ｐを下流側の受け取りユニット２６０に渡すようになっている。受け取りユニット２６０は、一対のローラ対２６１と、該前段に設けられたガイド手段２６２とで構成されている。
【００５９】
図２に戻り、現像処理部３０は、受け取りユニット２６０（図４参照）を介して送り込まれてくる感光材料Ｐを現像処理するためのもので、現像処理液が貯留される現像処理液槽３０１と、該現像処理液槽３０１内の現像処理液に対して感光材料Ｐを浸漬して引き上げる動作を繰り返すように、感光材料Ｐを搬送する搬送系３００とを備えている。前記現像処理液槽３０１は、複数の液槽３０１ａ，３０１ｂ，…が横並びに配置されることで構成されている。
【００６０】
各液槽３０１ａ，３０１ｂ，…には、感光材料Ｐに対して現像処理、漂白処理、定着処理、安定処理を行うための現像処理液が貯留されている。即ち、各液槽３０１ａ，３０１ｂ，…には、上流側から順に現像液（ＣＤ）、漂白・定着液（ＢＦ）、安定液（ＳＴＢ）、洗浄液が貯留されている。前記搬送系３００は、現像処理液槽３０１（各液槽３０１ａ，３０１ｂ，…）の現像処理液（現像液、漂白・定着液、安定液、洗浄液）中で感光材料Ｐを搬送する液中搬送系３００ａと、各液槽３０１ａ，３０１ｂ，…から引き上げられた感光材料Ｐを下流側で隣接する液槽３０１ａ，３０１ｂ，…内に導きつつ搬送する外部搬送系３００ｂとで構成されており、各搬送系３００ａ，３００ｂのそれぞれは、複数のローラ対（採番しない）により構成されている。
【００６１】
前記乾燥処理部４０は、現像処理部３０から送られてきた感光材料Ｐに熱風を吹き付け、感光材料Ｐに付着した現像処理液（水分）を乾燥させるようになっている。
【００６２】
本実施形態に係る写真処理装置１は以上の構成からなり、以下に、該写真処理装置１の作動について説明する。
【００６３】
本実施形態に係る写真処理装置１は、マガジン２００ａから引き出された感光材料Ｐが切断装置２０１で切断され、所定サイズの枚葉状になった感光材料Ｐが第二搬送系２２０を介して露光部２０２に送り込まれてくる。
【００６４】
そして、感光材料Ｐが露光領域Ａに到達すると、予め読み取った画像データを基に露光エンジンＥｎがローラ対２０７，２０８によって搬送中の感光材料Ｐに対して露光処理を施すことになる。
【００６５】
その際、図４に示すように、露光領域Ａ（露光部２０２）の下流側にあるリバース機構２４０（圧着搬送ユニット２７０）は、第一姿勢で待機している。そうすると、露光処理中の感光材料Ｐの先端が、ガイド面２７１間に進入することになる。
【００６６】
そして、かかる感光材Ｐに対する露光処理が終わり、その後端部が露光領域Ａの下流側のローラ対２０８を通過して圧着搬送ユニット２７０に到達すると、感光材料Ｐの搬送を一旦停止し、フレーム２４１が９０°回転して圧着ユニット２７０が第二姿勢となる。この際、縦方向に移動可能に構成された第二把持機構２５１は、リバース機構２４０からの感光材料Ｐを受け取り可能な最下で待機している。
【００６７】
そして、搬送ローラ対２７３が、逆回転することで感光材料Ｐは、第二把持機構２５１に送り出される。このように、感光材料Ｐをスイッチバックさせる（リバース機構２４０を第二姿勢にして送り出す）ことで、当該感光材料Ｐは、下流側の現像処理装置Ｇの搬送系３００（搬送経路：図２参照）での進行方向に対する表裏が、露光処理装置Ｒの搬送経路Ｘでの進行方向に対して反転した状態になるようにしている。そして、第二把持機構２５３が上昇して、感光材料Ｐは、受け取りユニット２６０を介して現像処理装置Ｇに送り込まれることになる（図２参照）。
【００６８】
そして、第二姿勢にあるリバース機構２４０は、フレーム２４１が回転して第一姿勢に姿勢変更されて待機する。
【００６９】
その一方で、現像処理装置Ｇにおいては、現像処理液に対する感光材料Ｐの浸漬と引き上げとを繰り返しつつ下流側に搬送して現像処理が行われることになり、しかる後、乾燥処理部４０で乾燥され写真プリントとして排出されることになる（図２参照）。
【００７０】
以上より、本実施形態に係る露光処理装置Ｒは、その筐体２が三区画に分割されているため、各区画毎に電磁波を遮蔽するための対策又は外部からの光を遮光するための対策を行えば良いことから、前記各対策（電磁波の遮蔽又は外部からの光の遮光対策）を施す範囲が小さくて済むため、低コストで各対策を行うことができるようになる。
【００７１】
即ち、本実施形態に係る露光処理装置Ｒは、一の区画に電磁波を放出するユニットや部品等を内設し、他の区画に遮光しなければならないユニットや部品等を内設するというように、筐体２の各構成を内設するための空間を小さく分割し、この分割した区画毎に各構成をそれぞれ分けて内設する。そのため、前記電磁波を放出するユニット等が内設される区画には電磁波を遮蔽するための対策だけを施せば良く、遮光しなければならないユニット等が内設される区画には外部からの光の遮光対策だけを施せば良い。従って、筐体２全体に対して電磁波の遮蔽及び外部からの光の遮光対策の両方を施すよりも、低コストで前記各対策を施すことができるようになる。
【００７２】
また、各構成が区画毎に分けて内設されているため、各構成が入り組んで複雑な構成とならないことから、容易に前記各対策を施すことができるようにもなる。
【００７３】
また、例えば、露光エンジンＥｎのメンテナンスを行う際、該露光エンジンＥｎが内設されている区画だけを開けてメンテナンスを行えば良いことから、メンテナンス作業が行い易くなる。
【００７４】
即ち、従前の露光処理装置では、露光エンジンＥｎのメンテナンスを行う際、前記露光処理装置内が区画に分割されていないため、蓋又は扉を開けた際に、遮光を必要とする構成（感光材料Ｐ等）部分にも光があたる場合がある。そのため、かかる部分に関し感光材料Ｐを予め取り出し（抜き出し）たり、シート等を被せて遮光するなどの作業を行う必要があった。これに対し、本実施形態に係る露光処理装置Ｒでは、筐体２の内部が区画毎に分割されているため、メンテナンスを行う区画だけを開ければ良く、遮光が必要な構成が内設された遮光区画は、開ける必要がないため遮光状態が維持される。従って、別途遮光するための作業を行う必要がなく、メンテナンス性が向上する。
【００７５】
さらに、本実施形態に係る露光処理装置Ｒ（筐体２）は、露光エンジンＥｎが内設された第二区画５０１が上方に隣接する第一区画５００と回動可能に連結部５０３で連結されているため、第一区画５００の前面側を持ち上げることで第二区画５０１の開口を開放状態にすることができる。また、ストッパー５０４の先端を第一区画５００の底部に設けられた係止部５０５に係止するだけで、第二区画５０１の開放状態を維持することができる。その結果、露光エンジンＥｎをメンテナンスする際に、メンテナンス作業が非常に行い易くなる。
【００７６】
即ち、従前の露光処理装置では、全ての構成要素が一つの筐体内に一緒に配置されていたため、該露光処理装置を制御するためのパソコン本体等の制御部を取り外した後でなければ露光エンジンのメンテナンスを行うことができなかった。これに対し、本実施形態に係る露光処理装置Ｒでは、パソコン本体を第一区画５００から取り外す必要はなく、パソコン本体が挿設され、且つ該パソコンが外れないようにビス等の固定手段で固定されている状態で第一区画５００の前面側を持ち上げるだけで、露光エンジンＥｎが内設された第二区画５０１の開口を開放状態にすることができる。また、ストッパー５０４の先端を第二区画５０１の底部に設けられた係止部５０５に係止することによって容易にこの開放状態を維持できる。その結果、メンテナンスが非常に行い易くなる。
【００７７】
また、この場合、第一区画５００の上面に備えられたモニター１００やスキャナ１０２ａ等も第一区画５００の上面に固定しておくことで、これらも取り外すことなく第一区画５００の前面側を持ち上げ、第二区画５０１の開口を開放状態にして露光エンジンＥｎのメンテナンスを行うことができるようになる。
【００７８】
尚、本発明の露光処理装置は、上記実施形態に限定されるものではなく、本発明の要旨を逸脱しない範囲内において種々変更を加え得ることは勿論である。
【００７９】
例えば、本実施形態においては、筐体２は、各構成を収納するための内部空間を縦に分割した三層構造に構成されているが、これに限定される必要はなく、横方向に分割しても良く、縦及び横方向を組み合わせるように分割しても良い。また、三層（三区画）に限定する必要もなく、二区画であっても良く、四区画以上であっても良い。内部に収納される構成によって、適宜区画を画定することで、各区画に施す各対策（電磁波の遮蔽又は外部からの光の遮光対策）を施す範囲を小さくし、又は施し易くすることでコストを低くすることができる。
【００８０】
また、本実施形態においては、第一区画５００は、第二区画５０１とは連結部５０３を介して回動可能に連結されているが、これに限定される必要はなく、第一区画５００の底部周縁の対向する側辺にスライドレールを設け、第二区画５０１上部とは、該スライドレールを介して連結されても良い。このように連結することによっても、第一区画５００に挿設されたパソコン本体等を取り外すことなく、第一区画５００を前記スライドレールに沿ってスライドさせるだけで第二区画５０１の開口を開放状態にすることができる。
【図面の簡単な説明】
【００８１】
【図１】本実施形態に係る写真処理装置の全体正面図を示す。
【図２】同実施形態に係る写真処理装置の概略構成図を示す。
【図３】同実施形態に係る露光処理装置の筐体の概略斜視図を示す。
【図４】同実施形態に係る処理装置の第三搬送系の概略正面図を示す。
【符号の説明】
【００８２】
１…写真処理装置、２…筐体、３…筐体、４…補助筐体、１０…制御部、２０…露光処理部、３０…現像処理部、４０…乾燥処理部、５００…第一区画、５０１…第二区画、５０２…第三区画、５０３…ヒンジ、５０４…ストッパー、５０５…係止部、５０６…扉、Ｒ…露光処理装置、Ｇ…現像処理装置、ＳＬ…スリット
【図１】
2007156233.tif 000003
【図２】
2007156233.tif 000004
【図３】
2007156233.tif 000005
【図４】
2007156233.tif 000006